(57)【要約】  対話型テレビジョンのアプリケーションが対話型テレビジョンコンテンツの記録を開始することができる、ＭＨＰのような対話型テレビジョンの記録を取り扱う方法及びコンピュータ読み取り可能な媒体である。前記対話型テレビジョンは、アクセス制御目的のために、コンテンツを、前記記録をしたアプリケーションにリンクさせる情報をタグ付けされる。このようにして、アプリケーションは、どの記録されているコンテンツが、該アプリケーションに関連しているかを知ることができる。従って、アプリケーションに関してアクセスは、関連付けられている記録されているコンテンツに制限される。更に、アプリケーションは、シリーズのテレビジョン番組のような、複部構成番組の異なる部分間を選択することができる。
2007528089.tif 000002
【特許請求の範囲】
【請求項１】
記録されている対話型テレビジョンを記録及び／又は再生する方法であって、記録されている対話型テレビジョンコンテンツに、該記録されている対話型テレビジョンコンテンツに対するアクセス制御のための識別子情報をタグ付けするステップを有する方法。
【請求項２】
前記対話型テレビジョンコンテンツが、対話型テレビジョンアプリケーションに関連付けられている音声／画像コンテンツである、請求項１に記載の方法。
【請求項３】
前記対話型テレビジョンアプリケーションによって前記対話型テレビジョンコンテンツの記録をさせるステップを有する、請求項２に記載の方法。
【請求項４】
前記識別子情報は、前記記録をさせた前記アプリケーションを識別する情報である、請求項３に記載の方法。
【請求項５】
前記識別子情報は、前記アプリケーションを放送する放送者と、記録するための前記記録された対話型テレビジョンコンテンツとを識別する情報である、請求項３又は４に記載の方法。
【請求項６】
対話型テレビジョンコンテンツを再生する再生アプリケーションに、記憶媒体上の他のどの対話型テレビジョンコンテンツが、前記識別子情報によって該再生アプリケーションに関連付けられているかを示すステップを有する、請求項２に記載の方法。
【請求項７】
ユーザが複数の記憶された関連付けられた前記対話型テレビジョンコンテンツの間を自由に見て回ることを可能にする、前記再生アプリケーションを有する請求項６に記載の方法。
【請求項８】
前記記録されている対話型テレビジョンコンテンツが、該対話型テレビジョンコンテンツを記録したアプリケーションによってのみ消去又は変更されることができるような態様で、前記記録されている対話型テレビジョンコンテンツへのアクセスを制御するステップを有する、請求項１に記載の方法。
【請求項９】
前記対話型テレビジョンコンテンツがファイルとして記録されている、請求項１ないし８の何れか一項に記載の方法。
【請求項１０】
前記対話型テレビジョンコンテンツと前記対話型テレビジョンアプリケーションと前記識別子情報とを、別個のファイルに保存するステップを有する、請求項９に記載の方法。
【請求項１１】
前記識別子情報は、少なくとも１つの対話型テレビジョンアプリケーションにリンクされているｉｎｆｏファイル内に記憶されており、前記記憶媒体上の前記対話型テレビジョンアプリケーションに関連付けられている対話型テレビジョンコンテンツを有する表を含んでいる、請求項１０に記載の方法。
【請求項１２】
前記対話型テレビジョンはＭＨＰである、請求項１に記載の方法。
【請求項１３】
前記対話型テレビジョンコンテンツは、少なくとも１つの音声／画像ストリームである、請求項１に記載の方法。
【請求項１４】
使用された場合、請求項１ないし１３の何れか一項に記載の方法を実施するコンピュータプログラムであって、記録されている対話型テレビジョンコンテンツに、該記録されている対話型テレビジョンコンテンツに対するアクセス制御のための識別子情報をタグ付けするコードセグメントを有する、コンピュータによる処理のためのコンピュータプログラムを自身の上において具現化している、コンピュータ読み取り可能な媒体。
【請求項１５】
請求項１ないし１４のいずれか一項に記載のコンピュータプログラムを備える、パーソナルデジタルレコーダの使用。
【請求項１６】
記録されている対話型テレビジョンコンテンツに対するアクセス制御のための識別子情報をタグ付けされている記録されている該対話型テレビジョンコンテンツの使用。
【請求項１７】
記録されている対話型テレビジョンの記録及び／又は再生のための装置であって、
−  対話型テレビジョンコンテンツを記憶するメモリと、
−  記録されている対話型テレビジョンコンテンツに、前記記録されている対話型テレビジョンコンテンツに対するアクセス制御のための識別子情報をタグ付けするための、中央処理ユニットと、
を有する装置。
【発明の詳細な説明】
【技術分野】
【０００１】
本発明は、一般には、対話型テレビジョンの分野に関し、より詳細には、対話型テレビジョンのコンテンツの記録及び再生に関し、更に詳細には、対話型テレビジョンのコンテンツの記録及び再生の分野におけるアプリケーションの取り扱いに関する。
【背景技術】
【０００２】
対話型テレビジョン（ｉＴＶ）は、ますます人気なものとなっている。対話型テレビジョンの例は、マルチメディア・ホーム・プラットホーム（ＭＨＰ）であり、該マルチメディア・ホーム・プラットホームとは、デジタルテレビジョン（ＤＴＶ）を、インターネット及びワールド・ワイド・ウェブへのアクセス及び対話性と組み合わせる目的のデジタルビデオ放送（ＤＶＢ）規格である。ＭＨＰは、ＭＨＰを支持する装置上で動作するように設計されているアプリケーションに利用可能な機能を指定しているｉＴＶ用の規格である。ＭＨＰは、Ｊａｖａプラットホームに基づいており、該Ｊａｖａプラットホームを、デジタルｉＴＶプラットホームに特有のライブラリによって拡張する。ＭＨＰは、典型的には、セットトップボックスにおける使用向けに設計されている。前記規格の現在のバージョンは、アプリケーション及び音声／映像コンテンツの記録に関する機能を提供していない。ＭＨＰは、単に、ライブ放送に基づいている。
【０００３】
ＭＨＰ２．０の今後の新しいバージョンにおいて、個人型デジタルレコーダ（ＰＤＲ）機能が、組み込まれる。放送ストリームを記録するのにビデオテープを使用しているアナログテレビジョン放送用の今日のビデオレコーダと類似して、対話型テレビジョン用のこれらのデジタルビデオレコーダは、ハードディスクのような固定された記憶媒体、又は光ディスクのようなリムーバブルメディアのいずれかを、記録される放送を記憶するのに使用している。対話型テレビジョン記録用のＰＤＲは、Ａ／Ｖテレビジョンコンテンツと、後の時点での再生のためのアプリケーションとの両方を記録する。この新しい機能を使用するＭＨＰアプリケーションの場合、このことは、該ＭＨＰアプリケーションが記録をし、記憶された番組に関する情報を得て、前記コンテンツに関するバックグラウンド情報を得ることができることを意味する。ＭＨＰアプリケーションは、記録されているもの自身であることもでき、自身のデータファイルへのアクセス権も有する。
【０００４】
ＤＴＶサービスプロバイダは、多種類の音声−映像（Ａ／Ｖ）テレビジョン番組と、ＴＶセット及びコンテンツと閲覧者／ユーザとの対話を可能にするＭＨＰアプリケーションであって、サービスバウンド（service-bound）アプリケーション又は非サービスバウンドアプリケーションの２つの種類に分けられることができるＭＨＰアプリケーションとを提供する。
【０００５】
非サービスバウンドアプリケーションとは、これらの長所における対話性を提供するアプリケーションである。非サービスバウンドアプリケーションは、コンテンツに束縛（bound）されているのではなく、コンテンツとは独立に、ユーザに機能を提供する。サービスバウンドアプリケーションの例は、電子番組ガイドＥＰＧ、例えばクイズショー若しくはスポーツイベントに関連付けられたギャンブル、チャット、電子メール又はゲーム等である。例えば、ＥＰＧは、放送チャネル上で利用可能である又は利用可能になるであろう現在及びスケジュールされている番組を列挙するために、例えば、デジタルセットトップボックスと共に使用されるものであり、該現在及びスケジュールされている番組は、前記セットトップボックスによって受け取られることができる。ＥＰＧは、例えば、各番組に関する短い要約又は解説を含んでおり、印刷されたテレビジョン番組ガイドと等価な電子機器である。
【０００６】
サービスバウンドアプリケーションとは、一般的に該サービスバウンドアプリケーションと一緒に伝送される音声／映像であるコンテンツに強く関連付けられているアプリケーションである。この種のアプリケーションは、関連するコンテンツが利用可能である場合にのみ、関連性を有する。従って、サービスバウンドアプリケーションは、一般に、関連するコンテンツと一緒に記録される。しかしながら、いくつかのサービスバウンドアプリケーションは、例えば、単一の記憶媒体上に記憶されている１つではなく複数の音声／映像ストリームに関連付けられることができる。一例は、ユーザが、シリーズのうちの１つのエピソードの閲覧を選択することができるようにするアプリケーションである。例えば、前記シリーズのうちのいくつかのエピソードは、時間的に異なる時点（例えば、日ごと又は週ごと）で記録されている。エピソードの総数は、同一の記憶媒体に記録される。
【発明の開示】
【発明が解決しようとする課題】
【０００７】
当該アプリケーションは、ユーザに、記憶されているエピソードのうちのあるエピソードを閲覧用に選択する可能性を提供することが望ましい。従って、前記アプリケーションは、単に関連するコンテンツ、即ち当該アプリケーションと共に現在放送され記録されている単一の放送エピソードと共に記録されているのみであって、残りのコンテンツを認識することができないことが問題である。例えば、同一の記憶媒体上の他のエピソードは、特定のエピソードと共に記録されているもの以外の同じの又は類似のアプリケーションからアクセス可能ではない。前記アプリケーションは、１つの単一の音声／映像ストリームに関連付けられているのみである。従って、記憶媒体上の全ての関連するコンテンツ（例えば、記録されているエピソードの全て）を見ることができるアプリケーションが必要である。更に、記録されているコンテンツは、記憶媒体から削除されることができても、関連付けられている前記アプリケーションは削除されることはできないことが問題である。このことは、アプリケーションが、前記記憶媒体上で利用可能である前記関連付けられているコンテンツを有さずに走らされた場合、システムを不安定なものにし得る。
【０００８】
他の問題は、アプリケーションをメモリにロードするのに消費する時間である。これは、音声／映像ストリームが走らされる度に、前記関連付けられているアプリケーションが、走らせるためにメモリにロードされるためである。
【０００９】
前記アプリケーションは、他のエピソードの再生のオプションも、閲覧者に与えることが望ましい。
【００１０】
従って、ｉＴＶアプリケーション及びコンテンツを記憶媒体に記録する、及び／又は前記記憶媒体からアプリケーションと関連するコンテンツとを有するｉＴＶ記録を再生するための新しい仕方が必要である。
【課題を解決するための手段】
【００１１】
本発明は、添付請求項による方法及びコンピュータ読み取り可能な媒体を提供することにより、従来技術における上述において識別化した問題を克服し、少なくとも上述において識別化した問題を解決する。
【００１２】
本発明による概ねの解決法は、記録されている対話型テレビジョンコンテンツに、記録されているｉＴＶコンテンツに対するアクセス制御に関する識別情報をタグ付けすることである。より詳細には、アプリケーションによって開始される記録には、該記録をさせた該アプリケーションと、該アプリケーションを放送している放送者とがタグ付けされる。これによって、アプリケーションは、どの他の番組が、記憶されており該アプリケーションに関連付けられているかを知ることができ、ユーザが、これら番組の間を自由に見て回る（navigate）ことを可能にする。このことは、アプリケーションは自身にリンクされているファイルのみにアクセスすることができ、この結果、あるのアプリケーションは、他のアプリケーションからのファイルを削除又は変更することはできないことを、システムが保証することも可能にする。
【００１３】
本発明の見地によれば、対話型テレビジョンの記録及び／又は再生を取り扱う方法及びコンピュータ読み取り可能な媒体が、開示される。本発明の１つの見地によれば、対話型テレビジョンの記録及び／又は再生を取り扱う方法であって、記録された対話型テレビジョンコンテンツは、該対話型テレビジョンコンテンツに対するアクセス制御に関する識別情報をタグ付けされる方法が提供される。
【００１４】
本発明の他の見地によれば、コンピュータによる処理のためのコンピュータプログラムを自身の上に具現化しているコンピュータ読み取り可能な媒体が、本発明による方法を実施するために提供される。前記コンピュータプログラムは、記録されている対話型テレビジョンコンテンツに、記録されている該対話型テレビジョンコンテンツに対するアクセス制御のための識別情報をタグ付けするコードセグメントを有する。
【００１５】
本発明は、記録された対話型テレビジョンコンテンツに対する制限されたアクセスを可能にする従来技術を超える利点を有する。対話型テレビジョンコンテンツを記録した対話型テレビジョンアプリケーションのみが、該アプリケーションに関連付けられている対話型テレビジョンコンテンツを変更する又は削除することができる。
【００１６】
更なる利点は、本発明は、テレビ番組のシリーズのような、複部構成番組の異なる部分間の選択を可能にすることである。
【００１７】
本発明の更に他の利点は、既にメモリ内にあるアプリケーションが、複数部番組の他の部分を再生する場合、該アプリケーションは既にメモリ内にロードされているため、メモリ内に再ロードされる必要がないことである。
【発明を実施するための最良の形態】
【００１８】
本発明の他の目的、フィーチャ及び利点は、添付図面を参照し、本発明の実施例の以下の記載から明らかになるであろう。
図１は、本発明の原理を示している模式図であって、第１対話型テレビジョンアプリケーション１は、矢印４によって示されているように、対話型テレビジョンの音声／映像ストリーム１１に関連付けられている。第１対話型テレビジョンアプリケーション１は、２つの更なる対話型テレビジョンアプリケーション２、３と、矢印７、８によって示されているように２つの更なる対話型テレビジョン音声／映像ストリーム１２，１３とに関連付けられていることが示されており、前記更なる対話型テレビジョンアプリケーションは、矢印５，６によって示されているように前記対話型テレビジョン音声／映像ストリーム１２，１３にそれぞれ関連付けられている。前記対話型テレビジョンアプリケーション１、２及び３は、異なる時点において、関連付けられている対話型テレビジョンストリーム１１、１２及び１３を単一の記憶媒体に記録している。対話型アプリケーション１、２及び３も前記記憶媒体に記録されている。しかしながら、これらのアプリケーションは、トランスポートストリーム（ＴＳ）の外側に、即ちＡ／Ｖコンテンツ１１、１２、１３から分離されて記憶されている。前記のようなアプリケーションが、例えば、ＤＳＭＣＣカルーセル（carousel）を介して、ファイルとして放送される場合、前記対話型アプリケーションのファイルは、記録中の前記トランスポートストリームから抽出され、別個に記憶される。好ましくは、例えば、ＸＭＬフォーマット内のＭＨＰ  ｉｎｆｏ  ファイルと称される付加的なファイルが生成される。ＭＨＰ  ｉｎｆｏファイルは、対話型アプリケーションのファイルが前記記憶媒体上のどこにどのように記憶されているかと、前記対話型アプリケーションと前記Ａ／Ｖコンテンツとの間のタイミングの関係とを記述している。前記ＭＨＰ  ｉｎｆｏファイルは、前記アプリケーションに常にリンクされている。付加的には、このアプリケーションに関連付けられているストリームのＩＤを一覧にしている追加の表が、前記ＭＨＰ  ｉｎｆｏファイルに付加される。前記表は、例えば、以下のような構造を有することができる。
＜RelatedStreams＞
<ID>0</ID>
<ID>34</ID>
</RelatedStreams>
【００１９】
例えば、図１に示されているように、対話型テレビジョンアプリケーション１、２及び３は非常に類似しており、これらは、ＡＶストリーム１１、１２及び１３内に位置されているコンテンツに、同一の対話性を付加している。全ての３つの対話型テレビジョンアプリケーション１、２及び３は、同一の放送者から生じている。対話型テレビジョンストリーム１１、１２及び１３は、これらを記録したアプリケーション１、２及び３に関する情報をそれぞれタグ付けされている。第１アプリケーション１は、これらが前記同一の記憶媒体上に記録されているので、他の記録されているストリームに関して知っている。従って、第１アプリケーション１は、上述したようにシリーズのエピソードであり得る他のストリーム１２、１３を見るための選択肢をユーザに与えることができる。前記他の対話型テレビジョンアプリケーション２、３は、それぞれ、残りの他の対話型テレビジョンストリーム１１、１３及び１２、１３に対するアクセス権も有している。しかしながら、記憶されている対話型テレビジョンストリームの望まれていない変更又は削除を排除するために、対話型テレビジョンストリームの記録を開始した対話型テレビジョンアプリケーションのみが、該記録されている前記ストリームを変更することができる。
【００２０】
ＭＨＰの場合、ＭＨＰアプリケーションは、記憶アプリケーションプログラミングインターフェース（ＡＰＩ’ｓ）を介するファイルに対するアクセス権を有している。前記ストリームは、ファイルとして記録されている。ＡＰＩ’ｓは、ソフトウェア階層の公にアクセス可能な表面を規定しており、該公にアクセス可能な表面を介してアプリケーションが前記ＭＨＰ内に含まれている特定の機能に対して動作する。アプリケーションがファイルのリストを見ることを要求した場合、システムは、該アプリケーションをタグ付けされているファイルのための入力を返すのみである。記録の間、ファイルにアプリケーションをタグ付けするために、前記システムは、記録されるアプリケーションに関連付けられたファイルのリストにアプリケーションＩＤをリンクさせるファイルの表を組み立てる。これらは、例えば、データファイル、画像、又は記録されたストリームである。
【００２１】
本発明の実施例が図２に示されており、上述の原理に従って対話型テレビジョンの記録及び／又は再生を取り扱う方法２０は、記録されている対話型テレビジョンコンテンツに、該記録されている対話型テレビジョンコンテンツに対するアクセス制御のための識別子情報を付するステップ２１を有している。
【００２２】
図３に示されている本発明の他の実施例において、コンピュータ３１による処理のためのコンピュータプログラムを自身の上に埋め込んでいるコンピュータ読み取り可能な媒体３０が提供されている。前記コンピュータプログラムは、上述の方法を実施し、記録されている対話型テレビジョンコンテンツに、該記録されている対話型テレビジョンコンテンツに対するアクセス制御のための識別子情報をタグ付けするためのコードセグメント３２を有している。
【００２３】
図４は、本発明による装置の実施例を示しており、該装置は、デジタルビデオレコーダ４０である。デジタルビデオレコーダ４０は、中央処理ユニット４１、メモリとしてのハードディスクドライブ４２、ＲＯＭ４３（読み取り専用メモリ）、ビデオ処理回路４４及び出力４５を有している。
【００２４】
ＲＯＭ４３内にコードエレメント３２（図３）が記憶されており、中央処理ユニット４１が、上述の方法を実行するようにプログラムされることを可能にしている。この方法によって、ハードディスク４２内に記憶されている対話型テレビジョンがタグ付けされる。
【００２５】
対話型テレビジョンコンテンツは、ユーザの要求に応じてハードディスクドライブ４２から取得され、ビデオ処理回路４４によって処理される。ビデオ処理回路４４の出力信号は出力４５に送信され、該出力信号は該出力４５からＴＶセット（図示略）に送信されることができる。
【００２６】
本発明による記録されている対話型テレビジョンコンテンツにタグ付けをする上述の方法の利用及び使用は様々であり、パーソナルデジタルビデオレコーダ又は改善されたセットトップボックス等のような基本的なアプリケーションを含む。
【００２７】
本発明は、特定の実施例を参照して上述された。しかしながら、上述の好適実施例以外の他の実施例、例えば、ハードウェア又はソフトウェア等によって上述の方法を実施する、上述されたもの以外の対話型テレビジョンコンテンツと共に識別子情報を記憶する様々な仕方が、添付請求項の範囲内で同様に実現可能である。
【００２８】
更に、本明細書において使用されている「有する」という語は、他の構成要素又はステップの存在を排除するものではなく、単数形の構成要素は、複数及び単一のプロセッサを排除するものではなく、又は他のユニットが、添付請求項において引用されているユニット又は回路のいくつかの機能を実現することもできる。
【図面の簡単な説明】
【００２９】
【図１】図１は、本発明の原理を説明している模式図である。
【図２】図２は、本発明の実施例による方法を説明しているフローチャートである。
【図３】図３は、本発明の他の実施例によるコンピュータ読み取り可能な媒体を示している模式図である。
【図４】図４は、本発明による装置の実施例を示している模式図である。
【図１】
2007528089.tif 000003
【図２】
2007528089.tif 000004
【図３】
2007528089.tif 000005
【図４】
2007528089.tif 000006
【国際調査報告】
2007528089.tif 000007
2007528089.tif 000008
2007528089.tif 000009
2007528089.tif 000010